【手続補正書】
【提出日】平成29年12月13日(2017.12.13)
【手続補正１】
【補正対象書類名】特許請求の範囲
【補正対象項目名】全文
【補正方法】変更
【補正の内容】
【特許請求の範囲】
【請求項１】
レシーバデコーダデバイスにおいて使用されるオーディオビジュアルコンテンツの少なくとも1つのアイテムの入手可能性を補償するための方法であって、前記レシーバデコーダデバイスは：
第1ネットワークからオーディオビジュアルコンテンツの少なくとも1つのアイテムを受信するように構成される第1通信インターフェース；
第2ネットワークからオーディオビジュアルコンテンツの少なくとも1つのアイテムを受信するように構成される第2通信インターフェース；
を有し、前記方法は：
−  第1ネットワークを介してブロードキャストされる少なくとも1つのコンテンツアイテムの前記第2ネットワークを介する入手可能性を示す少なくとも1つの第1情報アイテムを、前記第1ネットワークから受信するステップであって、前記第1情報アイテムは：
・  前記第2ネットワークにおける前記コンテンツアイテムの場所；
・  前記第1ネットワークを介する前記コンテンツアイテムのブロードキャストの期間とは異なる、前記第2ネットワークを介する前記コンテンツアイテムの入手可能な期間；
を少なくとも含む、受信するステップ；
−  前記第2ネットワークを介する前記コンテンツアイテムの入手可能性を示す少なくとも1つの第2情報アイテムを、前記レシーバデコーダデバイスのユーザインターフェースにおいて補償するステップであって、前記第2情報アイテムは受信した前記第1情報アイテムに依存する、補償するステップ；
を有する方法。
【請求項２】
前記第1ネットワークは一方向ブロードキャストネットワークである、請求項1に記載の方法。
【請求項３】
前記第2ネットワークは双方向通信ネットワークである、請求項1又は2に記載の方法。
【請求項４】
前記受信するステップは、前記第1ネットワークによる前記コンテンツアイテムのブロードキャストの前及び/又は後に実行される、請求項1ないし3のうち何れか1項に記載の方法。
【請求項５】
前記少なくとも1つの第2情報アイテムは、前記オーディオビジュアルコンテンツのアイテムを選択するための少なくとも1つのオブジェクトを含む、請求項1ないし4のうち何れか1項に記載の方法。
【請求項６】
前記第2ネットワークを介して前記オーディオビジュアルコンテンツのアイテムの全部又は一部を補償することを含む、請求項1ないし5のうち何れか1項に記載の方法。
【請求項７】
前記少なくとも1つの第1情報アイテムは、前記第2ネットワークから前記コンテンツアイテムを補償することを制限する前提条件を含む、請求項5又は6に記載の方法。
【請求項８】
前記第2情報アイテムを表す補償は前記前提条件を考慮してなされる、請求項7に記載の方法。
【請求項９】
前記場所は、前記第2ネットワークに接続されるリモートサーバにおける前記コンテンツアイテムに対するアクセスをもたらす少なくとも1つのリンクを含む、請求項1ないし8のうち何れか1項に記載の方法。
【請求項１０】
前記少なくとも1つの第1情報アイテムは、補償のための表示とともに前記第2ネットワークの前記コンテンツアイテムへの無償アクセス期間に関する少なくとも1つの情報アイテムを含む、請求項1ないし9のうち何れか1項に記載の方法。
【請求項１１】
前記少なくとも1つの第1情報アイテムは、関連するコンテンツアイテムと、前記第2ネットワークからアクセスすることが可能なコンテンツアイテムとの関連付けに関する情報アイテムを含む、請求項1ないし10のうち何れか1項に記載の方法。
【請求項１２】
前記少なくとも第1情報アイテムは、前記第2ネットワークによる前記コンテンツアイテムへのアクセスについてのコストに関する情報アイテムを含む、請求項1ないし11のうち何れか1項に記載の方法。
【請求項１３】
前記第2ネットワークを介する前記コンテンツアイテムの入手可能性を表す前記少なくとも1つの第1情報アイテムは、前記第2ネットワークを介する前記コンテンツアイテムの補償の品質レベル及び/又はフォーマットに関する情報アイテムを含む、請求項1ないし12のうち何れか1項に記載の方法。
【請求項１４】
オーディオビジュアルコンテンツのアイテムの入手可能性を補償するように構成されるレシーバデコーダデバイスであって：
第1ネットワークからオーディオビジュアルコンテンツの少なくとも1つのアイテムを受信するように構成される第1通信インターフェース；
第2ネットワークからオーディオビジュアルコンテンツの少なくとも1つのアイテムを受信するように構成される第2通信インターフェース；
を有し、前記レシーバデコーダデバイスはプロセッサを有し、
−  前記プロセッサは、前記第1ネットワークを介してブロードキャストされる少なくとも1つのコンテンツアイテムの前記第2ネットワークを介する入手可能性を示す少なくとも1つの第1情報アイテムを、前記第1ネットワークから受信するように構成され、第1情報アイテムは：
・  前記第2ネットワークにおける前記コンテンツアイテムの場所；
・  前記第1ネットワークを介する前記コンテンツアイテムのブロードキャストの期間とは異なる、前記第2ネットワークを介する前記コンテンツアイテムの入手可能な期間；
を少なくとも含み、
−  前記プロセッサは、前記第2ネットワークを介する前記コンテンツアイテムの入手可能性を示す少なくとも1つの第2情報アイテムを、前記レシーバデコーダデバイスのユーザインターフェースにおいて補償するように構成され、前記第2情報アイテムは受信した前記第1情報アイテムに依存する、
ことを特徴とするレシーバデコーダデバイス。
【請求項１５】
前記第2ネットワークを介する前記コンテンツアイテムの入手可能性を表す前記少なくとも1つの第1情報アイテムは、補償のための表示とともに前記第2ネットワークの前記コンテンツアイテムへの無償アクセス期間に関する少なくとも1つの情報アイテムを含む、請求項14に記載のレシーバデコーダデバイス。
【請求項１６】
コンピュータプログラムであって、前記コンピュータプログラムがコンピュータで実行されると、レシーバデコーダデバイスにおいて使用されるオーディオビジュアルコンテンツの少なくとも1つのアイテムの入手可能性を補償するための方法を実行させるプログラムコード命令を有し、前記レシーバデコーダデバイスは：
第1ネットワークからオーディオビジュアルコンテンツの少なくとも1つのアイテムを受信するように構成される第1通信インターフェース；
第2ネットワークからオーディオビジュアルコンテンツの少なくとも1つのアイテムを受信するように構成される第2通信インターフェース；
を有し、前記方法は：
−  第1ネットワークを介してブロードキャストされる少なくとも1つのコンテンツアイテムの前記第2ネットワークを介する入手可能性を示す少なくとも1つの第1情報アイテムを、前記第1ネットワークから受信するステップであって、前記第1情報アイテムは：
・  前記第2ネットワークにおける前記コンテンツアイテムの場所；
・  前記第1ネットワークを介する前記コンテンツアイテムのブロードキャストの期間とは異なる、前記第2ネットワークを介する前記コンテンツアイテムの入手可能な期間；
を少なくとも含む、受信するステップ；
−  前記第2ネットワークを介する前記コンテンツアイテムの入手可能性を示す少なくとも1つの第2情報アイテムを、前記レシーバデコーダデバイスのユーザインターフェースにおいて補償するステップであって、前記第2情報アイテムは受信した前記第1情報アイテムに依存する、補償するステップ；
を有する、コンピュータプログラム。
【請求項１７】
コンピュータプログラムが保存されているコンピュータ読み取り可能な記憶媒体であって、前記コンピュータプログラムは、前記コンピュータプログラムがコンピュータで実行されると、レシーバデコーダデバイスにおいて使用されるオーディオビジュアルコンテンツの少なくとも1つのアイテムの入手可能性を補償するための方法を実行させるプログラムコード命令を有し、前記レシーバデコーダデバイスは：
第1ネットワークからオーディオビジュアルコンテンツの少なくとも1つのアイテムを受信するように構成される第1通信インターフェース；
第2ネットワークからオーディオビジュアルコンテンツの少なくとも1つのアイテムを受信するように構成される第2通信インターフェース；
を有し、前記方法は：
−  第1ネットワークを介してブロードキャストされる少なくとも1つのコンテンツアイテムの前記第2ネットワークを介する入手可能性を示す少なくとも1つの第1情報アイテムを、前記第1ネットワークから受信するステップであって、前記第1情報アイテムは：
・  前記第2ネットワークにおける前記コンテンツアイテムの場所；
・  前記第1ネットワークを介する前記コンテンツアイテムのブロードキャストの期間とは異なる、前記第2ネットワークを介する前記コンテンツアイテムの入手可能な期間；
を少なくとも含む、受信するステップ；
−  前記第2ネットワークを介する前記コンテンツアイテムの入手可能性を示す少なくとも1つの第2情報アイテムを、前記レシーバデコーダデバイスのユーザインターフェースにおいて補償するステップであって、前記第2情報アイテムは受信した前記第1情報アイテムに依存する、補償するステップ；
を有する、記憶媒体。